(57)【要約】【課題】  利用者に対して適切な情報提供を行うことができる情報提供システムを提供する。【解決手段】  コンテンツ提供サーバ５４は、同一情報判別部５５の判断結果にもとづいて、テレマティクス通信機３２から提供予定の情報から、ラジオ受信機３１から提供される情報とテレマティクス通信機３２から提供される予定の情報とが同一の情報を除いた情報のみをコンテンツ生成サーバ５２を用いて生成し、生成した情報をテレマティクス通信機３２に提供する。これにより、利用者に対してラジオ受信機３１より提供された既知の情報が、繰り返しテレマティクス通信機３２から提供されることが無くなり、繰り返し既知の情報が提供されるとによって利用者が違和感等を感じることが無くなる。【選択図】              図１
2005309750.tif 000002
【特許請求の範囲】
【請求項１】
情報を提供する情報センタと、ラジオ番組を提供するラジオ局と、前記情報センタおよびラジオ局に情報の提供を行うコンテンツプロバイダと、前記情報センタより提供される情報と前記ラジオ局より提供される情報とを受信する情報端末機とからなる情報提供システムにおいて、
前記情報端末機は、
前記ラジオ局からのラジオ番組を受信するラジオ受信機と、
前記情報センタに情報提供要求を行い、前記情報センタからの情報を受信する情報通信機とを備え、
前記情報センタは、
前記コンテンツプロバイダより提供された情報を格納する情報格納部と、
前記情報端末機に備えられた情報通信機からの情報提供要求に応じて、前記情報格納部に格納された情報を前記情報通信機に提供する情報提供制御手段と、
前記情報端末機のラジオ受信機から提供されている情報と、前記情報通信機からの要求に応じて提供予定の情報とが同一かどうかを判断する情報種別判定手段とを備え、
前記情報通信機からの情報提供要求があると、
前記情報種別判定手段は、前記ラジオ受信機より提供される情報の種類および情報の提供元と、前記情報提供要求に応じて提供予定の情報の種類および情報の提供元とを比較し、
前記情報提供制御手段は、前記情報種別判定手段による比較結果より、前記提供予定の情報から情報の種類および情報の提供元とが同じである情報を除いた情報を前記情報格納部より抽出し、該抽出した情報を前記情報通信機に送信することを特徴とする情報提供システム。
【請求項２】
前記情報通信機は、前記情報提供要求と同時に、前記ラジオ受信機の設定情報を前記情報センタに送信し、
前記情報種別判定手段は、前記情報通信機から送信されたラジオ受信機の設定情報にもとづいて、前記情報端末機のラジオ受信機から提供されている情報を特定し、前記情報通信機からの要求に応じて提供予定の情報との比較を行うことを特徴とする請求項１記載の情報提供システム。
【請求項３】
前記ラジオ受信機の設定情報は、前記ラジオ受信機の電源のオンオフ情報、前記ラジオ受信機が受信している周波数情報、時刻情報の少なくともいずれか１つであることを特徴とする請求項２記載の情報提供システム。
【請求項４】
前記情報提供制御手段は、前記情報種別判定手段によって情報の種類および情報の提供元とが同じであると判定された場合に、前記情報通信機に情報の種類および情報の提供元とが同じである旨の通知を行うことを特徴とする請求項１から３のいずれか１に記載の情報提供システム。
【請求項５】
前記情報種別判定手段が情報の比較の際に用いる前記ラジオ受信機より提供される情報は、前記ラジオ受信機から現在提供されているラジオ番組内において提供される情報であることを特徴とする請求項１から４のいずれか１に記載の情報提供システム。
【請求項６】
情報を提供する情報センタと、ラジオ番組を提供するラジオ局と、前記情報センタおよびラジオ局に情報の提供を行うコンテンツプロバイダと、前記情報センタより提供される情報と前記ラジオ局より提供される情報とを受信する情報端末機とからなる情報提供システムの情報センタであって、
前記コンテンツプロバイダより提供された情報を格納する情報格納部と、
前記情報端末機からの情報提供要求に応じて、前記情報格納部に格納された情報を前記情報端末機に提供する情報提供制御手段と、
前記情報端末機が受信しているラジオ番組の情報と、前記情報端末機からの要求に応じて提供予定の情報とが同一かどうかを判断する情報種別判定手段とを備え、
前記情報端末機からの情報提供要求があると、
前記情報種別判定手段は、前記情報端末機が受信しているラジオ番組の情報の種類および情報の提供元と、前記情報提供要求に応じて提供予定の情報の種類および情報の提供元とを比較し、
前記情報提供制御手段は、前記情報種別判定手段による比較結果より、前記提供予定の情報から情報の種類および情報の提供元とが同じである情報を除いた情報を前記情報格納部より抽出し、該抽出した情報を前記情報端末機に送信することを特徴とする情報提供システムの情報センタ。
【請求項７】
情報を提供する情報センタと、ラジオ番組を提供するラジオ局と、前記情報センタおよびラジオ局に情報の提供を行うコンテンツプロバイダと、前記情報センタより提供される情報と前記ラジオ局より提供される情報とを受信する情報端末機とからなる情報提供システムの情報提供方法において、
前記情報端末機が前記情報センタに対して情報提供要求を行い、
前記情報センタは、前記情報端末機が受信しているラジオ番組の情報の種類および情報の提供元と、前記情報提供要求に応じて提供予定の情報の種類および情報の提供元とを比較し、前記提供予定の情報から情報の種類および情報の提供元とが同じである情報を除いた情報を前記情報格納部より抽出し、該抽出した情報を前記情報端末機に送信することを特徴とする情報提供システムの情報提供方法。
【発明の詳細な説明】
【技術分野】
【０００１】
本発明は、情報を受信する情報端末機へ、ラジオ局および情報センタから情報を提供する情報提供システムおよび情報提供方法ならびに情報センタに関する。
【背景技術】
【０００２】
従来、通信機能を有する車載機に対して、インターネット等の通信環境を利用して情報センタから各種の情報を提供する技術が提案されている。たとえば特開２００３−１５７２０６号公報には、情報センタから、利用者に情報の提示を行う車載ナビゲーション装置に対して地図情報等の配信を行う技術が記載されている。
これらの情報提供システムを利用することによって、利用者は有益な情報を得ようとするものである。
【特許文献１】特開２００３−１５７２０６号公報
【発明の開示】
【発明が解決しようとする課題】
【０００３】
しかしながら、情報センタとの通信により取得される情報が有益と言えるものは、利用者にとって未知の情報だけであるが、従来の情報提供システムにおいては、利用者の既得知識を考慮せずに情報提供を行っていた。
そのため、車両内でラジオ装置を利用している場合に、情報提供システムとしてのテレマティクス装置を用いて情報センタから情報取得を行っても、ラジオ装置によってすでに取得された既知の情報が頻繁に繰り返し提供されることになる。
よって、利用者は既知の情報が繰り返し提供されることによって、違和感、不快感を感じるといった問題があった。
【０００４】
そこで本発明はこのような問題点に鑑み、利用者に対して適切な情報提供を行うことができる情報提供システムおよび情報提供方法ならびに情報センタを提供することを目的とする。
【課題を解決するための手段】
【０００５】
本発明は、情報を提供する情報センタと、ラジオ番組を提供するラジオ局と、前記情報センタおよびラジオ局に情報の提供を行うコンテンツプロバイダと、前記情報センタより提供される情報と前記ラジオ局より提供される情報とを受信する情報端末機とよりなる情報提供システムにおいて、情報端末機は、ラジオ局からのラジオ番組を受信するラジオ受信機と、情報センタに情報提供要求を行い、情報センタからの情報を受信する情報通信機とを備え、情報センタは、コンテンツプロバイダより提供された情報を格納する情報格納部と、情報通信機からの情報提供要求があると、情報端末機のラジオ受信機から提供されている情報と、情報通信機からの要求に応じて提供予定の情報とが同一かどうかを判断する情報種別判定手段と、情報種別判定手段による比較結果より、提示予定の情報から情報の種類および情報の提供元とが同じである情報を除いた情報を、前記情報格納部より抽出し、該抽出した情報を前記情報通信機に提供する情報提供制御手段とを備えるものとした。
【発明の効果】
【０００６】
本発明によれば、ラジオ受信機から提供されている情報は、情報制御手段によって情報通信機に提供しないものとすることにより、ラジオ装置によってすでに提供された既知の情報が情報通信機を通じて利用者に提供されることが無くなり、既知の情報が繰り返し提供されることによる利用者の違和感等を解消することができる。
【発明を実施するための最良の形態】
【０００７】
次に本発明の実施の形態を実施例により説明する。
図１に、実施例の全体構成を示す。
ラジオ局や情報センタに対して、各種情報（交通情報、天気情報、ニュース情報等）の提供を行うコンテンツプロバイダ１１、１２、１３よりコンテンツプロバイダ群１０が構成される。
ラジオ局２１、２２よりラジオ局群２０が構成され、ラジオ局２１はコンテンツプロバイダ１１より各種情報の提供を受け、ラジオ局２２はコンテンツプロバイダ１２より各種情報の提供を受ける。
情報センタ５０が、コンテンツプロバイダ１２、１３より各種情報の提供を受ける。
【０００８】
図示しない車両に、利用者に各種の情報提供を行う車載機３０が搭載されている。
ラジオ局群２０は、コンテンツプロバイダ１１、１２より提供を受けた情報をラジオ番組として車載機３０へ配信し、情報センタ５０は、コンテンツプロバイダ１２、１３より提供を受けた情報を、車載機３０からの要求に応じてネットワーク４０を介して車載機３０へ配信する。
なおネットワーク４０は、無線通信によって情報交換が可能な情報網であるものとする。
【０００９】
車載機３０は、内部にラジオ受信機３１と、テレマティクス通信機３２とを備える。
ラジオ受信機３１は、ラジオ局群２０より配信された各種情報を受信し、受信した情報を利用者に提示する。
テレマティクス通信機３２は、移動通信端末機３３を通じてネットワーク４０に接続し、情報センタ５０に対してテレマティクス情報要求を行ったり、あるいは情報センタ５０からの情報の提供を受け、受信した情報を利用者に提供する。
またテレマティクス通信機３２はテレマティクス情報要求時に、ラジオ受信機３１の設定情報（電源のオンオフ、受信周波数、時刻情報等）を同時に情報センタ５０へ送信する。
【００１０】
情報センタ５０は、車載機３０とで行われる通信の制御を行うコンテンツ提供サーバ５４と、車載機３０に提供する情報を指定の様式で生成するコンテンツ生成サーバ５２と、ラジオ局群２０から提供される情報と情報センタ５０から提供する予定の情報とが同一かどうかの判断を行う同一情報判別部５５とを備える。
コンテンツ提供サーバ５４は、情報センタ５０に備えられた通信端末機５１を通じて、テレマティクス通信機３２からの情報提示要求を受け付け、さらにテレマティクス通信機３２へ向けて情報の提供を行う。
また情報センタ５０は、コンテンツプロバイダ１２、１３から提供を受けた各種情報を記録するコンテンツデータベース（ＤＢ）５３を備える。コンテンツ生成サーバ５２は、コンテンツ提供サーバ５４からの指示にもとづいて、コンテンツデータベース５３に記録された情報を参照して、指定様式で情報の生成を行う。
【００１１】
さらに情報センタ５０は、ラジオ番組を一意に特定することができるラジオ番組ＩＤ情報を有するラジオ番組表５７を備える。これにより同一情報判別部５５は、現在時刻取得部５６から現在の時刻を取得し、テレマティクス通信機３２から送信されたラジオ受信機３１の設定情報と取得した現在時刻とにもとづいて、ラジオ番組表５７を参照することによりラジオ受信機３１が現在放送中のラジオ番組を特定可能なラジオ番組ＩＤを取得することができる。
【００１２】
また情報センタ５０は、テレマティクス番組マスタデータベース（ＤＢ）５８とラジオ番組マスタデータベース（ＤＢ）５９とを備える。
テレマティクス番組マスタデータベース５８には、コンテンツ提供サーバ５４から提供するサービス（以下、テレマティクス番組とする）を一意に特定可能なテレマティクス番組ＩＤごとに、テレマティクス番組の情報の種類と、情報提供元の情報とが記憶されている。なおテレマティクス番組マスタデータベース５８には、コンテンツ提供サーバ５４が提供可能なテレマティクス番組の数だけ情報が記憶されている。
ラジオ番組マスタデータベース５９には、ラジオ番組を一意に特定可能なラジオ番組ＩＤごとに、ラジオ番組で提供する情報の種類および情報提供元の情報が記憶されている。なおラジオ番組マスタデータベース５９には、受信可能なすべてのラジオ局のラジオ番組の数だけ情報が記憶されている。
【００１３】
次に、情報センタ５０の動作について図２のフローチャートを用いて説明する。
ステップ２００においてコンテンツ提供サーバ５４は、利用者によってテレマティクス通信機３２が操作され、テレマティクス通信機３２からテレマティクス情報要求があったかどうかを判断する。
ここでテレマティクス通信機３２は、移動通信端末機３３およびネットワーク４０を通じて情報センタ５０に対してテレマティクス情報要求を行い、コンテンツ提供サーバ５４は通信端末機５１を介してテレマティクス情報要求を受け付ける。
コンテンツ提供サーバ５４は、テレマティクス通信機３２からのテレマティクス情報要求があるまで本ステップにおける処理を繰り返す。
【００１４】
テレマティクス情報要求があった場合に、ステップ２０１においてコンテンツ提供サーバ５４は、テレマティクス情報要求と同時に受信したラジオ受信機３１の設定情報にもとづいて、ラジオ受信機３１の電源がオンであるかどうかの判断を行う。
ラジオ受信機３１の電源がオフである場合には、ステップ２０９へ進み、ラジオ受信機３１の電源がオンである場合にはステップ２０２へ進む。
【００１５】
ステップ２０９においてコンテンツ提供サーバ５４は、利用者からのテレマティクス情報要求に応じて、提示する情報をコンテンツ生成サーバ５２を用いて生成する。
ステップ２１０においてコンテンツ提供サーバ５４は、生成した情報を利用者が要求したテレマティクス情報要求に応じて提示するテレマティクス番組の情報として送信する。
【００１６】
一方ステップ２０２においては、同一情報判別部５５は、ラジオ受信機３１によって利用者に提供されている情報の種類と情報提供元とを特定する。
ここで同一情報判別部５５は、情報の種類と情報提供元とを特定するために、まずテレマティクス通信機３２より送信されたラジオ受信機３１の設定情報および現在時刻取得部５６より取得した現在時刻とより、ラジオ番組表５７を参照してラジオ受信機３１によって現在放送されているラジオ番組を一意に特定可能なラジオ番組ＩＤの取得を行う。
ラジオ番組ＩＤの取得後、取得したラジオ番組ＩＤにもとづいてラジオ番組マスタデータベース５９を参照することによって、ラジオ受信機３１から提供されているラジオ番組によって利用者に提供されている情報の種類と情報提供元とを特定することができる。
【００１７】
また本実施例において、特定されたラジオ番組の情報の種類や情報提供元としては、図３の（ａ）に示すように、オープニング、ＶＩＣＳから提供される交通情報、Ａ新聞から提供される一般ニュースおよびスポーツニュース、気象情報提供会社から提供される天気情報、エンディングであるものとする。
【００１８】
図２に戻りステップ２０３において同一情報判別部５５は、テレマティクス通信機３２から送信されたテレマティクス情報要求からテレマティクス番組ＩＤを取り出し、取り出したテレマティクスＩＤにもとづいてテレマティクス番組マスタデータベース５８を参照する。これによって、テレマティクス情報要求にもとづいてテレマティクス番組を送信した場合にテレマティクス通信機３２から利用者に提供される予定である情報の種類と情報提供元とを特定することができる。
【００１９】
また本実施例において、特定されたテレマティクス番組の情報の種類や情報提供元としては、図３の（ｂ）に示すように、ＶＩＣＳから提供される交通情報、気象庁から提供される天気情報、Ｂ新聞から提供されるスポーツニュース、Ｃ通信社から提供される株ニュース、Ｄ新聞から提供される政治ニュースであるものとする。
【００２０】
図２に戻りステップ２０４において同一情報判別部５５は、ラジオ受信機３１によって提供される情報と、テレマティクス通信機３２を通じて提供予定の情報との同一性の判断を行う。
この同一性の判断に用いるラジオ情報の範囲は、近い過去に提供された情報、現在提供中の情報、近い未来に提供される予定の情報とする。また、近い過去、近い未来の範囲は、現在提供されているラジオ番組の範囲内とする。
なお本実施例において、同一性の判断に用いられるラジオ情報の範囲は、図３の（ａ）が示すラジオ番組１内で提供されるすべての情報とする。
よって同一情報判別部５５により、図３の（ａ）、（ｂ）に示すラジオ番組１で提供される情報と、テレマティクス番組１で提供される情報との比較が行われ、提供される情報の同一性の判断が行われる。
【００２１】
つづいてステップ２０５においてコンテンツ提供サーバ５４は、同一情報判別部５５による同一性の判断結果にもとづいて、利用者がテレマティクス通信機３２を通じて要求した情報とラジオ受信機３１によって提供される情報とがすべて同一の情報であるかどうかを判断する。
また情報の種類が同一であっても情報の提供元が異なる場合には、情報の提供元によって情報の内容が異なるため、当該情報は同一でないものとする。
なお本実施例においては、ラジオ番組１において提供されるオープニング、交通情報、一般ニュース、スポーツニュース、天気情報、エンディングと、テレマティクス番組１によって提供される交通情報、天気情報、スポーツニュース、株ニュース、政治ニュースとの比較が行われる。
【００２２】
ラジオ受信機３１から提供される情報と、テレマティクス通信機３２から提供される予定の情報とがすべて同一の情報である場合には、ステップ２０６においてコンテンツ提供サーバ５４は、利用者がテレマティクス通信機３２を通じて要求した情報はラジオ受信機３１より提供された、または提供される情報と同一であり、テレマティクス通信機３２から利用者に提供する必要が無いものとして、情報を送信しない。
【００２３】
一方、ラジオ受信機３１から提供される情報と、テレマティクス通信機３２から提供される予定の情報とがすべて同一の情報でない場合には、ステップ２０５からステップ２０７に進み、コンテンツ提供サーバ５４は、利用者から要求されたテレマティクス番組によって提供する情報のうち、ラジオ受信機３１によって提供された情報と同一でない情報と、同一種類の情報ではあるが情報の提供元が異なる情報とを、コンテンツ生成サーバ５２を用いて生成する。
なお本実施例においては、コンテンツ生成サーバ５２によって天気情報、スポーツニュース、株ニュース、政治ニュースとが、利用者が要求したテレマティクス番組１によって提供する情報として生成される。
【００２４】
ステップ２０８においてコンテンツ提供サーバ５４は、コンテンツ生成サーバ５２を用いてステップ２０８で生成した情報を利用者が要求したテレマティクス情報要求に応じて提示するテレマティクス番組１の情報として、通信端末機５１からテレマティクス通信機３２へ送信する。
【００２５】
これによって利用者に対し、ラジオ受信機３１で提供される情報の内容と異なる内容の情報がテレマティクス通信機３２から提供されることとなる。
たとえば利用者が、ラジオ受信機３１からラジオ局２１が放送するラジオ番組を聞きながら、テレマティクス通信機３２を用いて情報の提供元がコンテンツプロバイダ１３であるテレマティクス番組の提供を要求したとすると、同一情報判別部５５が、ラジオ受信機３１によって提供されている情報の提供元と、テレマティクス通信機３２より提供予定の情報の提供元とが異なるものであると判断し、コンテンツ提供サーバ５４は要求されたテレマティクス番組によって提供する予定の情報をすべて生成して、テレマティクス通信機３２に提供する。
【００２６】
本実施例においては、車載機３０が本発明における情報端末機を構成し、テレマティクス通信機３２および移動通信端末機３３が本発明における情報通信機を構成する。またコンテンツデータベース５３が情報格納部を構成する。さらにステップ２０５〜２０８が本発明における情報提供制御手段を構成し、ステップ２０２〜ステップ２０４が本発明における情報種別判定手段を構成する。
【００２７】
本実施例は以上のように構成され、コンテンツ提供サーバ５４は、同一情報判別部５５の判断結果にもとづいて情報の種類と提供元とが異なる情報のみをコンテンツ生成サーバ５２を用いて生成し、生成した情報をテレマティクス通信機３２に提供する。
これにより、利用者に対してラジオ受信機３１より提供された既知の情報が、繰り返しテレマティクス通信機３２から提供されることが無くなり、繰り返し既知の情報が提供されるとによって利用者が違和感等を感じることが無くなる。
【００２８】
ラジオ受信機３１によって提供される情報をテレマティクス通信機３２から提供しないことにより、テレマティクス通信機３２と情報センタ５０とによる通信時間の短縮、通信費の削減を行うことができる。
また利用者に既知の情報が提供されることが無いので、利用者は効率よく未知の情報を得ることができる。
【００２９】
なお本実施例においては、ラジオ受信機３１から提供される情報と、テレマティクス通信機３２から提供される予定の情報とがすべて同一の情報である場合には、何も情報を送信しないものとしたが、ラジオによって提供される情報と同一である旨の情報をテレマティクス通信機３２に送信するようにしてもよい。
【００３０】
また、上記実施例においては、同一情報判別部５５が情報の同一性の判断時に用いるラジオ情報の範囲は、近い過去に提供された情報、現在提供中の情報、近い未来に提供される予定の情報であるものとしたが、これに限定されない。
たとえば、利用者が図３の（ａ）に示すラジオ番組を途中から聞き始め（ラジオ受信機３１の電源がオンされ）交通情報を聞いていない状態でテレマティクス情報要求を行った場合には、同一情報判別部５５によってラジオ番組１の交通情報とテレマティクス番組１の交通情報とが同一であると判断されても、コンテンツ提供サーバ５４はラジオ番組の進行状況より利用者が交通情報を聞いていないと判断し、該交通情報を利用者に提供するようにしてもよい。
なおラジオ番組の進行状況は、ラジオ番組が開始された時刻と現在時刻とを比較することにより判断することができる。
【図面の簡単な説明】
【００３１】
【図１】実施例の全体構成を示す図である。
【図２】情報センタ内で行われる処理の流れを示す図である。
【図３】ラジオ番組とテレマティクス番組とが提供する情報を示す図である。
【符号の説明】
【００３２】
１０    コンテンツプロバイダ群
１１、１２、１３    コンテンツプロバイダ
２０    ラジオ局群
２１、２２    ラジオ局
３０    車載機
３１    ラジオ受信機
３２    テレマティクス通信機
３３    移動通信端末機
４０    ネットワーク
５０    情報センタ
５１    通信端末機
５２    コンテンツ生成サーバ
５３    コンテンツデータベース
５４    コンテンツ提供サーバ
５５    同一情報判別部
５６    現在時刻取得部
５７    ラジオ番組表
５８    テレマティクス番組マスタデータベース
５９    ラジオ番組マスタデータベース
【図１】
2005309750.tif 000003
【図２】
2005309750.tif 000004
【図３】
2005309750.tif 000005